(57)【特許請求の範囲】
【請求項１】
霧状の眼科液状流体を分配するためのデバイス（１）であって、
−霧状体のための排出開口部（２５）と、
−前記排出開口部（２５）と連通する混合チャンバ（９５）と、
−変位可能ピストン（５５）及び所定容積の空気を保持するための空気チャンバ（５８）を有するシリンダ（６０）と、
−前記空気チャンバ（５８）から空気を噴射するように操作可能な第１駆動体（６１）と、
−分配される所定容積の流体を保持し、通路（９３）によって前記混合チャンバ（９５）と連通するための流体チャンバ（９２）と、
−所定用量の前記流体を前記流体チャンバ（９２）に送達し、前記流体の供給源と連通しているまたは連通するように構成された第２駆動体（８２）、
を備え、
−前記空気チャンバ（５８）が、前記流体チャンバ（９２）と、別に前記混合チャンバ（９５）と、連通しており、
−当該デバイス（１）が、前記流体を前記流体チャンバ（９２）から前記混合チャンバ（９５）内に押し進めるように前記流体チャンバ（９２）に流入する一の噴射気流と、前記流体チャンバ（９２）を越えて前記混合チャンバ（９５）内に流入する別の噴射気流と、を、前記別の気流が前記混合チャンバ（９５）内に押し進められた前記流体にぶつかることによって前記流体の霧状化を補助するために、設立するように構成されており、
−前記シリンダ（６０）の最先端部にあるまたは前記最先端部を画成する、前記一の気流のための通路（９１）と、
−前記別の気流のために、前記空気チャンバ（５８）と前記混合チャンバ（９５）との間にある１以上の別個の通路（９７）と、
を備えることを特徴とするデバイス。
【請求項２】
前記供給源を画成する容器（７０）を有することを特徴とする請求項１に記載のデバイス。
【請求項３】
前記容器（７０）が、委縮可能であることを特徴とする請求項２に記載のデバイス。
【請求項４】
前記第１駆動体が、バネ（６１）を備えており、
前記バネ（６１）が、前記変位可能ピストン（５５）に作用することを特徴とする請求項１から３のいずれか１項に記載のデバイス。
【請求項５】
−回転可能ヘッド（２８）をさらに備え、
−前記ピストン（５５）が、ロッド（５７）と、前記シリンダ（６０）内に受けられるピストンヘッド（５４）と、を有し、
−前記ロッド（５７）及び前記回転可能ヘッド（２８）が、前記回転可能ヘッド（２８）を回転させることによって、所定容積の空気を前記空気チャンバ（５８）内で保持するための後退位置へ前記ピストンを変位させるための、互いにスライド可能に接続された巻回軌道（５６）及び固定タブ（２７）を各別に有しており、
−前記バネ（６１）に関して、前記後退位置でロックして及び前記後退位置から解放して前記ピストン（５５）を前進位置に向けて推進させて噴射を提供するためのロック・解放機構（３０）をさらに備えることを特徴とする請求項４に記載のデバイス。
【請求項６】
前記第２駆動体が、用量計量するようにかつ流体を前記流体チャンバ（９２）に移送するように構成された容積式ポンプを備えることを特徴とする請求項１から５のいずれか１項に記載のデバイス。
【請求項７】
前記第２駆動体が、用量計量するようにかつ流体を前記流体チャンバ（９２）に移送するように構成された蠕動ポンプ（８２）を備えることを特徴とする請求項１から５のいずれか１項に記載のデバイス。
【請求項８】
可撓性管体（８０）が、前記蠕動ポンプ（８２）を前記流体の前記供給源と接続することを特徴とする請求項７に記載のデバイス。
【請求項９】
前記ポンプが、ピストンポンプであることを特徴とする請求項６に記載のデバイス。
【請求項１０】
目領域に当接して保持することによって人の瞼を開いたままとするための襟体（１２）を有する開眼瞼部分（１０）を有することを特徴とする請求項１から９のいずれか１項に記載のデバイス。
【請求項１１】
１以上の別個の前記通路（９７）が、前記流体チャンバ（９２）の周囲を巻いていることを特徴とする請求項１から１０のいずれか１項に記載のデバイス。
【請求項１２】
前記流体チャンバ（９２）が、一用量の液状流体に対応する所定容積の液体を収容するように構成されていることを特徴とする請求項１から１１のいずれか１項に記載のデバイス。
【発明の詳細な説明】
【技術分野】
【０００１】
本発明は、概して、霧状の眼科液状流体を分配するための装置に関する。
【背景技術】
【０００２】
このような装置は、すでに知られており、構造及び設計において変化する。例として、ユーザによって圧搾されて霧状体として液状流体を発射させる圧搾ボトルを備える装置は、知られている。
【０００３】
以下の従来技術は、さまざまな設計のこのような装置を開示している。
【０００４】
特許文献１は、少量のマイクロリットル容積の液体製剤を目または他の身体部分に送達させるための装置及び方法を教示している。装置及び方法は、気体流れを適用し、制御した予め選択した容積の液体を気体流れ内に導入すること、及び、小さい液滴の形態にある液体を所望の部位に送達させること、を目的としている。
【０００５】
本発明は、とりわけ、本発明にかかる装置がユーザの目に液状流体を送達するための第２駆動体または用量駆動体／ポンプを有する点で、特許文献１から外れている。
【０００６】
特許文献２は、所定容積の流体を計量し、流体をノズルから押し進めるために計量した流体の一端部に圧力をかけることによって、治療用目薬を目に適用するための方法及び器具を教示している。
【０００７】
特許文献３は、液体格納空間を有する液体分配器具を教示している。装置は、液体を分配するためのノズルを有する。流体は、液体格納空間を低減するように動作可能な可動壁によってノズルを介して噴射される。器具は、同様に、中間格納空間を有する。器具は、可変容積を有する中間格納空間を有しており、中間格納空間は、液体をそこから受けるための液体格納空間と流体連通する液体入口を有する。特定量の液体は、単一動作で、液体格納空間から中間格納空間へ移送される。
【０００８】
特許文献４は、液体流れを目に向けて放出するためのデバイス及び使用方法を教示している。デバイスは、容器から開口部を通して液体の少なくとも一部を送達して液体流れを形成するように動作可能なポンプ機構を有している。ポンプ機構は、ポンプ機構を駆動させるためのコックエネルギー(cocked energy)を蓄積できるポンプ駆動体を有し得、少なくとも１つの作動機構は、存在しており、液体を送達するためにデバイスを始動させるように動作可能であり得、それにより、駆動機構は、手のまたは蓄積したエネルギーをコックエネルギーに変換するように構成されている。
【０００９】
特許文献５は、眼科治療に及び目薬のような眼科剤を送達するのに適した流体分配器を教示している。流体分配器は、重要な投与構成部材として弾性材料から形成された管体を組み込んでいる。管体にある第１点及び第２点は、管体を折り畳むことによってまたは外部素子によって作動され得、第１点と第２点との間のセグメントに投与チャンバを収容する圧搾セクションを形成する。圧搾セクションは、アンビルまたは他の構造体によって押圧され得、投与チャンバに収容された流体を加圧し、それにより、いったん管体を一点から解放すると、投与チャンバ内の流体を排出する。各投与処理によって、一用量の流体を排出する。また、流体分配器は、投与処理を繰り返すことによって、一連の容量の流体を送達できる。
【００１０】
しかしながら、一般的に、液状流体は、むしろより大きな液滴としてボトルから外に出ており、不可能でない場合であっても、ユーザにとって正確な用量の液状流体を分配することは難しく、これは、例えばドライアイのような眼科疾病または状態のために治療中である場合に必要であり得る。
【先行技術文献】
【特許文献】
【００１１】
【特許文献１】米国特許第５，９９７，５１８号明細書
【特許文献２】米国特許第３，９３４，５８５号明細書
【特許文献３】米国特許出願公開第２００９／０４３２６９号明細書
【特許文献４】米国特許出願公開第２００２／１６１３４４号明細書
【特許文献５】米国特許出願公開第２０１４／２１３９８９号明細書
【発明の概要】
【発明が解決しようとする課題】
【００１２】
本発明は、単純かつユーザフレンドリーであり、一用量の医療用眼科流体を繰り返し排出することが可能な分配器を提供することへの必要性を落とすことなく、従来の分配器におけるこのような問題を克服することを求めている。
【課題を解決するための手段】
【００１３】
一般的に、発明者は、添付の特許請求の範囲に示されておりかつ組み合わされ得る２つの基本発明態様を識別している。
【００１４】
一態様によれば、細かいまたは比較的細かい液滴は、専用の気流の作用を介して、１ｍＰａｓから１００ｍＰａｓのオーダーのような中間粘性の液状流体を分配する場合に達成されつつ、別の態様によれば、同一用量を繰り返し排出することは、可能である。同時に、本発明を通して、ユーザがユーザの頭を直立させたまたは傾けたことにかかわらず、または、ユーザがベッドで寝ている場合であっても、眼科液状流体を分配できるようになる。
【００１５】
具体的には、第１態様によれば、請求項１において広く規定されているように、発明にかかるデバイスは、場合によっては噴霧ノズルによって形成された霧状体のための排出開口部と、排出開口部と連通する混合チャンバと、所定容積の空気を保持するための空気チャンバと、空気チャンバから空気を噴射するように操作可能な第１駆動体と、分配される所定容積の流体を保持し、混合チャンバと連通するための流体チャンバと、所定用量の流体を流体チャンバに送達し、流体の容器のような供給源と連通するように構成された第２駆動体と、を備え、空気チャンバは、流体チャンバと、別に混合チャンバと、連通しており、デバイスは、所定容積の液体を流体チャンバから混合チャンバ内に押し進めるように流体チャンバに流入する一の噴射気流と、流体チャンバを越えて混合チャンバ内に流入する別の噴射気流と、を、別の気流が混合チャンバ内に推進された流体にぶつかることによって流体の霧状化を補助するために、設立するように構成されている。これにより、ユーザは、流体が高粘性及び高濃度を有する場合に、特定の用途において場合に応じて、そして、低から高粘性の流体を人の角膜に分配する必要があるドライアイのような特定の眼科疾病または状態を治療するために、非常に細かい霧状の必要な流体を得ることが可能となる。
【００１６】
均一用量の流体を毎回適用する高い確実性を提供するために、デバイスは、上述した流体チャンバと流体連通する蠕動ポンプなどを有し得る。想定されることは、ユーザがデバイスを最小限の手の力を用いて分配する準備が整った構成とさせることを可能とし、この構成は、例えば高齢者によってデバイスを使用する場合に必要であり得る。そのために、デバイスは、回転可能ヘッド及びハンドルと、ロッド及びシリンダのような構造体内で受けられるピストンヘッドを有し、空気チャンバを画成するピストンと、をさらに備え、ロッド及びハンドルは、ハンドルを回転させることによってピストンを所定容積の空気を空気チャンバ内で保持するための後退位置へ変位させるために、スライド可能に受けられる巻回軌道及び固定タブを有しており、上述した第１駆動体を形成してピストンを前進位置に向けて推進させて上記噴射を生じさせるバネに関して後退位置へ及び後退位置からピストンをロックして解放するためのロック・解放機構をさらに備える。
【００１７】
別の態様によれば、均一用量の流体を毎回適用する高い確実性は、液状流体が上述したように別個の気流を供給することによって流体／空気を混合することを必要としない場合であっても、分配するための蠕動ポンプまたは均等な容積式ポンプをデバイスに組み込むことによって、実現可能である。デバイスは、以下の特徴、すなわち、霧状の流体を発生させるための噴霧ノズル、所定容積の空気を保持するための空気チャンバ、空気チャンバから空気を噴射させるように操作可能な第１駆動体、分配される所定容積の液状流体を保持し、ノズルと連通する液状流体チャンバ、所定量量の液状流体を液状流体チャンバに送達するための、蠕動ポンプを備え、流体チャンバと流体連通する第２駆動体、容器のような流体供給源と連通するように構成されている蠕動ポンプ、液状流体チャンバと流体連通しており、デバイスによって、流体チャンバ内に流入する上記噴射した空気の流動を設立し、上記容積の流体、基本的には上記容積の流体全てを流体チャンバからノズルに向けて推し進めるように構成されている空気チャンバ、を有している。
【００１８】
本発明にかかる形態は、従属請求項において規定されており、これら従属請求項の目的は、以下から明らかになる。
【００１９】
本発明の現在好ましい形態を添付の図面を参照しながら説明する、以下の説明は、特許請求の範囲によって規定される本発明の範囲を限定することを意図していない。
【図面の簡単な説明】
【００２０】
【図１】本発明にかかる一実施形態のデバイスを示す側面図である。
【図２】デバイスの構成部材の構造を示す斜視図である。
【図３】デバイスを示す斜視図であって、端部キャップを有しており、デバイス筐体を部分的に切除した、斜視図である。
【図４】霧状流体を分配するために準備された構成にあるデバイスを示す横断面図である。
【図５】デバイスを示す図４の横断面図に対して垂直である別の横断面図であって、霧状流体を分配した後の構成を示す、横断面図である。
【発明を実施するための形態】
【００２１】
図１は、人の目の中に／人の角膜（図示略）上に霧状の眼科液状流体を繰り返し分配するための、本発明にかかる一実施形態のデバイス１を示しており、本発明にかかるデバイスは、特にではあるが排他的ではなく、比較的高い粘性を有する流体などの霧状体を分配するのに便利であり、特に、平均的な人がデバイスをその人の手の中で保持することを可能とするように寸法付けられている。
【００２２】
図示したデバイス１は、開眼瞼部分１０と、筐体部分２０と、を備える。開眼瞼部分１０は、分配中に目領域に当接して保持することによって、人の瞼を開いたままとするように構成されており、襟体１２と、襟体１２を筐体２０の前端部Ｆと接続する接続構造体１４と、を有する。排出開口部またはノズル２５は、例として円形または楕円形であり得、所定の霧状体を襟体１２に向かう方向で分配するためのものであり、したがって、目（図示略）は、前端部Ｆに位置する。
【００２３】
デバイス１は、全体的に、様々な機構または駆動体を有しており、これら機構または駆動体は、筐体２０の内側に位置しており、様々な操作部分を介して人によって操作可能であり、これら操作部分は、図示のように、回転可能ハンドル２６と、押下可能タブ３０と、筐体２０の後端部Ｒを画成する回転可能ヘッド２８と、のうちの１以上を有し得る。
【００２４】
図示した動作部分２６、２８、３０のうちの２以上は、他の実施形態において、単一の操作部分へ組み合わされ得、それにより、１以上の上述した機構または駆動体は、ユーザが一の動作部分のみを操作することによって、操作可能である。
【００２５】
図２は、全体的に参照符号５０が付されており、筐体２０の内側に備え付けられた内部部品構造体を示す。内部部品構造体５０は、一端部において、排出開口部２５を有する出口構造体を支持しており、他端部において、回転可能デバイスヘッド２８を支持している。回転可能ヘッド２８は、管状延長体２８’を有しており、デバイス１の組み立てを補助するために、可撓性タブ２９を介して筐体２０とスナップ係合するように構成されている。
【００２６】
部品構造体５０は、とりわけ、霧状体として分配される眼科液状流体を収容する。容器またはバレル７０と、ピストンシリンダ６０によって受けられたピストンロッド及びヘッド（ヘッドは図２において視認可能でない）を用いてピストン５５を制御して前進させる、ユーザのための第１駆動体と、を備える。
【００２７】
シリンダ６０は、ピストン５５が第１の、通常は完全に後退した位置にあるときに、内部空気チャンバ内に第１容積の空気を蓄積するように構成されている。バレル７０は、好ましくは、可動底部７２を有しており、かつ／または、委縮可能(collapsible)であり得、また、複数用量の眼科流体を分配することを可能とする内部容積を有し、さらに、別のものと交換すること、ひいては、バレル７０を空にした後でもデバイス１を使用し続けることを可能とするために交換可能であり得る。
【００２８】
後述する理由により、ピストン５５のロッドは、好ましくは、その長手方向軸回りの回転に抗するように保持されており、全体的に、ピストン５５のロッドの長手方向軸と平行な軸回りで回転可能デバイスヘッド２８を回転させることによって、その第１の後退位置へ図２に示す第２の前進位置から移動可能である。
【００２９】
ピストン５５のロッドのうちヘッドから離間する基端側端部分は、図２に示されており、回転可能デバイスヘッド２８の管状延長体２８’内に受容可能なように構成されている。ピストン５５のロッドは、螺旋状の巻回部分と直線状部分５６’とを有する表面軌道５６を有する。表面軌道５６の巻回部分は、管状延長体２８’の内側に位置するタブをスライド可能に受け、それにより、ピストンに対して回転可能ヘッド２８を回転させることにより、第２位置から後退した第１位置へのピストン５５の対応する変位を引き起こし、この第１位置において、ピストン５５のロッドのうち図２に示す所定長さの基端側端部分は、回転可能ヘッド２８の管状延長体２８’内に受けられる。
【００３０】
部品構造体５０は、好ましくは必要な用量の液状流体を液体チャンバ及び／または混合チャンバ内に分配するための蠕動投与ポンプ８２などの形態にある第２駆動体を有し得、この液体チャンバ及び／または混合チャンバは、以下でさらに説明され、シリンダ６０の前端部において、シリンダの内側にかつ排出開口部２５に最も近接して位置する。図２には、同様に、管体８０、好ましくはその全長に沿って可撓性を有する管体が示されており、この管体は、第１部分８１と、第２部分８１’とを有し、バレル７０から液状流体を引き込むために使用される。管体８０は、第２駆動体、例えば以下で説明する蠕動投与ポンプ８２を介して、接続点８１”においてバレル７０を上述した混合チャンバに接続する。
【００３１】
蠕動ポンプ８２は、半円状壁部分８７として示される周壁部分８７を有する筐体と、一方ではポンプ８２を手で操作するためのハンドル２６を支持し、他方では２つの径方向で反対側に位置するシューまたはローラを支持する回転可能ディスク８４と、を有しており、これら２つのローラのうちの一方のローラ８６は、図２において最もよく示されている一方で、反対側のローラ８６’は、図３に示される。管体８０の可撓性部分は、壁部分８７と回転可能ディスク８４との間で受けられており、壁部分８７と２つのローラ８６それぞれとの間で局所的に平坦に圧迫されている。管体の局所的に平坦な部分間における管体８０の長さは、その長さ部分の内側に流体の容積または用量を画成し、この流体は、ユーザがディスク８４を回転させ、それによりローラ８６、８６’を壁部分８７に及びディスク８４と壁部分８７との間の管状部分に沿って移動させることによって、管体８０の第２部分８１’内に向けて推進される。機構（図示略）は、例えば一操作あたり１８０°など、回転可能ディスク８４の回転を制限するために有され得、それにより、ハンドル２６の操作は、機構を解放するときまで、ユーザがバレル７０から単一用量の所定容積の液状流体を引き出すのみを可能とする。理解されることは、上述した態様で用量を管体８０の第２部分８１’に向けて推進させるので、正確な構成の管体８０及び容器７０が、容器７０内の対応する容積の液状流体を容器７０から引き出すことを保証することである。委縮可能な容器もしくはタンク７０または変位可能な底部を有する容器７０を使用することによって、蠕動ポンプ８２によって付与された吸引力は、容器７０を完全に空にすることを保証することを可能とする。
【００３２】
本発明から逸脱することなく、他の形態の投与ポンプまたは容積式ポンプを適用し得るかつ／または組み込み得る。
【００３３】
第２駆動体には、一体的または一体的ではなく、図示しない弁手段が設けられ得、この弁手段は、第２駆動体が受動的である場合に、液状流体の流動を妨げるように構成されている。第２駆動体がピストンポンプを有する実施形態において、上記図示しない弁手段は、伸長、すなわち後退していない位置に位置するピストンによって作動され得る。
【００３４】
デバイス１は、第１及び第２駆動体を例えばデバイスヘッド２８及びハンドル２６など１つのボタンまたはハンドルを用いて作動させ得るかつ／または後退させ得るように構成され得る。さらに、デバイス１は、第１及び／または第２駆動体を押圧ボタンに線形力を付与することによって作動させ得るかつ／または後退させ得るかつ／または解放させ得るように構成され得る。
【００３５】
容器７０は、一実施形態において、例えば薄いかつ／または可撓性ホイルから形成されて場合によっては溶接によって閉じられた委縮可能な袋体またはパウチを構成し得る。あるいは、容器７０は、成形プラスチック部品を構成し得る。容器７０は、一実施形態において、可動ピストンを有するシリンダを構成し得る。可動ピストンは、シリンダの底部を画成し得、遠位固定端部には、デバイス１に対する水圧的なかつ／または機械的な接続部分が設けられ得る。バネのような手段は、ピストンをシリンダ内に付勢するまたは押し付けるために設けられ得る。これにより、液体投与は、容易とされ得る。
【００３６】
容器７０は、一実施形態において、好ましくは成形プラスチック部品に結合され得、このプラスチック部品は、デバイス１への水圧的なかつ／または機械的な接続を可能とする。
【００３７】
液体容器７０は、好ましくは容器７０の交換可能性を可能とする態様で、デバイス１の湿潤部分と一体化され得る。
【００３８】
別個の容器７０は、デバイス１に対して容器を機械的に方向付けるかつ／または固定するために、独自の形状を有し得る。
【００３９】
図３は、前端部Ｆに備え付けられた保護キャップ２を有するデバイス１を示す。
【００４０】
図示のように、図示した実施形態にかかるデバイス１は、長さ及び幅が各別に約９０ｍｍ及び約６０ｍｍオーダーである筐体のような、比較的平坦な筐体２０を有しており、ユーザによって便利に保持されることを可能とする。
【００４１】
図４及び図５を参照すると、図１から図３に示す本発明にかかる現在好ましい実施形態の詳細を示しており、ここで説明する。
【００４２】
図４は、ピストン５５の第１の後退位置にあるデバイス１を示しており、すなわち、この第１の後退位置において、ピストンのヘッド５４は、排出開口部２５から遠位側に位置しており、ピストン５５のロッド５７における基端側端部分の比較的長い部分は、回転可能ヘッド２８の管状延長体２８’内に受けられている。ユーザは、ヘッド２８を回転させることによって、ピストン５５をシリンダ６０に対してこの第１位置へ変位させ得、この変位は、ピストンヘッド５４とシリンダ６０の後方閉鎖体６２との間で収縮されることによってピストン５５を上述した第２の前進位置に向けて付勢するように構成されたバネ６１の力に抗する。管状延長体２８’の内側に位置して表面軌道５６の螺旋状の巻回部分に係合する上述したタブは、参照符号２７が付されることによって図５に示されており、表面軌道５６の螺旋状の巻回部分の適切な設計を選択することによって、ヘッド２８を例えば１８０°または３６０°にわたって回転させることによってピストン５５の所望の変位を達成し、このため、比較的小さい労力で、ユーザがバネ６１の力に抗してピストン５５を後退させるための手の力を低減することを可能とする。
【００４３】
図４に示すピストン５５の第１位置において、タブ２７は、表面軌道５６の直線状部分５６’と位置合わせされており、ピストン５５は、延長体２８’の長さに沿ってその第２位置へ軸方向に移動する準備が整っており、ユーザがロック機構を解放させるとバネ６１によって駆動される。ロック機構は、押下可能タブ３０（図１参照）に接続されてシリンダ６０の外面に形成された凹所３２と係合するロックリブ３１を備える。リブ３１及び凹所３２は、図５において最もよく示されている。押下可能タブ３０は、同様に図２に示す押下可能腕体３２’を有することによってレバー機構として動作し、それにより、タブ３０を押下することによって、腕体３２’の他端部に位置するロックリブ３１は、凹所３２との係合が解除され、それにより、ピストン５５は、解放され、バネ６１によって駆動されてその前進した第２位置に向けて移動する。
【００４４】
図４に示すように、ピストン５５の第１位置において、シリンダ６０内の空気チャンバ５８は、ピストン５５のヘッド５４と全体的に参照符号９０で示された分配構造体との間で、例えば約８２０ｍｍ３の所定容積の空気を有する。
【００４５】
ユーザによってピストン５５を後退した第１位置に向けて変位させるにしたがって、図示した実施形態において、回転可能ヘッド２８を回転させることによって、空気は、同時に、空気アクセスポートを通してこの空気チャンバ５８内に引き込まれる。霧状体を排出するための排出開口部２５は、この目的のために使用され得、しかしながら、新鮮な空気と共にすでに分配した液状流体を引き込むことによって空気チャンバ５８を汚染させる危険性を低減するために、空気アクセスポートは、好ましくは、シリンダ６０の周壁のようなどこかに位置しており、空気アクセスポートには、好ましくは、一方向弁（図示略）が備えられている。別の図示しない一方向弁は、排出開口部２５と接続して位置し得、空気が入ることを防止しまたは制限し、上述した汚染を防止する。この態様において、保存料を有する液状流体を使用する必要性を低減する。
【００４６】
分配構造体９０は、好ましくは、シリンダ６０内に挿入されており、後方閉鎖体６２とは反対側に、その最先端部を画成する。図示のように、第１気流のための通路９１は、空気チャンバ５８から構造体９０内の内部液体チャンバ９２内へ通じる。１以上、例えば３つの第２通路９７は、好ましくは、図示した実施形態におけるように分配構造体９０の（例えば螺旋状に）周囲を巻いており、一方では、空気チャンバ５８と、他方では混合チャンバ９５と、連通するように形成されかつ構成されている。混合チャンバ９５は、分配構造体９０の前方に位置しており、分配構造体９０と排出開口部２５を画成する開口部を有する前方筐体部分２３との間で画成されている。１以上の第２通路９７は、円状横断面を有し得、第２気流が構造体９０、ひいては液体チャンバ９２を越えて、すなわち液体チャンバ９２を通らずに、流動して混合チャンバ９５内に入ることを可能とする。
【００４７】
分配構造体９０には、横方向に方向付けられたポートまたは通路が設けられ得、接続点８１”を介した管体８０の第２部分８１’から内部液状流体チャンバ９２までの液体流動を可能とし、分配構造体は、同様に、通路９１の反対側に排出開口部９３を有する。混合チャンバ９５は、図４及び図５に示すように、受け皿の全体外形を辿り、開口部２５は、反対側にあり、より狭い開口部９３と位置合わせされており、第２通路９７は、この受け皿の「縁」において混合チャンバ９５内に開口している。ある圧力において開口する弁（図示略）は、通常狭い排出開口部９３に及び通路９１に設けられ得、液状流体チャンバ９２内の液状流体を保持しているが、特に、液状流体が比較的高い粘性を有する場合に、分配される。
【００４８】
液状流体チャンバ９２の容積は、蠕動ポンプを正確に操作する、すなわち、ハンドルを用いて所定角度にわたってディスク８４を正確に回転すると蠕動ポンプ８２によって分配されるまたは投与される一用量の液状流体の上述した容積に対応し、例として、約５０ｍｍ３のオーダーであり得る。通路９１、開口部９３及び流体チャンバ９２は、円状横断面を有し得る。
【００４９】
前回の排出／分配後に使用するためにデバイス１を準備するとき、または、デバイス１を最初に使用することを考慮するとき、人は、第２駆動体、図示した実施形態において蠕動ポンプ８２を用いて流体チャンバ９２を充填し、同様に、ピストン５５を後退した第１位置へ引く。これは、原理的に、任意の順番で、または、蠕動ポンプ８２及びピストン５５に対して単一動作部分を使用する場合に同時に、発生し得る。図４において、流体チャンバ９２内の流体をドットで示す。
【００５０】
その後に第１駆動体を解放させると、ピストン５５を前進させるバネ６１によって構成されている図示した実施形態において、空気チャンバ５８内の空気は、前進中に、シリンダ６０内に引き込まれ、ピストン５５の引込は、通路９１を通ってシリンダ６０の外から構造体９０内の液状流体チャンバ９２内へ押し進められ、好ましくは、混合チャンバ９５内に開口する一連のさらなる通路９７を通して上述した第２気流としてシリンダ６０から出る。これに関して使用されている用語「第１」及び「第２」は、２つの気流間で必要な時間に関する遅延を暗示することを意図していないが、そもそも、複数の気流を発生させることを反映させており、通常様々な目的を有して、第１気流は、そもそも、液状流体を液状流体チャンバ９２から外へ押し進めるように機能する。すべての液状流体を液状流体チャンバ９２から外へ押し進めた／推進させた後、空気チャンバ５８内に残っている空気は、液状流体チャンバ９２を通して混合チャンバ９５内に排出され得る。
【００５１】
理解されることは、空気チャンバ５８から出る第２気流の速度が好ましくは高いこと、及び、バネ６１の作用によって排出された第１気流が液状流体チャンバ９２の前端部にある排出開口部９３を通して混合チャンバ９５内へ液状流体を液状流体チャンバ９２から放出させるまたは押すこと、である。混合チャンバ９５内への液状流体の流動は、第２気流の混合チャンバ９５内への流入に起因したベンチュリ効果によって補助され得る。排出開口部９３の前方において第２気流が第２通路９７から出て同時に放出した液状流体に衝突することによって、流体が中間から高粘性を有する場合であっても、細かい霧状の液状流体を発生させる。
【００５２】
想定されることは、放出した液状流体の流動方向のほぼ前方に対して鋭角に、前方の第２気流が好ましくは放出した液状流体にぶつかるように、１以上の通路９７の進路を設計することである。これにより、発生した細かい霧状体は、バネ６１によって決定されたように、高い慣性を有して排出開口部２５を通ってユーザの目に向けてデバイス１から出ており、この目は、開眼瞼部分１０によって開かれたままである。空気チャンバ５８内の空気の容積を正確に調整することによって、保証されることは、分配された全ての流体を各分配中にデバイス１から吹き飛ばすこと、である。
【００５３】
液状流体チャンバ９２内へ至る通路９１及びそこから出る排出開口部９３の寸法に対して１以上の通路９７の相対的な寸法を選択することによって、所望の流動及び液滴サイズを得られ得る。場合によっては好ましくなり得ることは、液状流体を混合チャンバ９５内に既に行きわたっている第２気流内に放出すること、である。デバイス１を正確に保持したときに目から通常約２０ｍｍ〜約３０ｍｍに位置するように排出開口部２５を設計することにより、霧状体を目のみに分配することを保証し、これは、水平または垂直など任意の方向付けでデバイス１を保持して実現し得る。
【００５４】
留意したように、図示した実施形態において、第２管状部分８１’内で有効である所定容積の液状流体は、液状流体チャンバ９２内の液状流体を排出している間も、そこにあるままである。蠕動ポンプ８２のローラ８７’によって設けられたシールは、液状流体チャンバ内にある液状流体を空気によって放出するときに、この容積が液状流体チャンバ９２内に引き込まれることを防止する。
【００５５】
上述したデバイスのすべての構成部材は、プラスチック材料、金属材料またはこれらの組合せなど、所望の材料からなり得る。特に、ユーザの瞼を開いたままにするための襟体は、抗菌性能を有する表面材料を支持し得る、または、そのような材料から形成され得る。さらに、排出開口部２５及び／もしくはノズルを画成するかつ／もしくは囲む構成部材及び／または表面は、抗菌性能を有する材料から形成され得る。
【００５６】
第１及び第２気流を設立するように本発明にかかるデバイスを構成することが好ましくなり得、これは、液状流体が高い粘性を有する場合に好ましくなり得るが、他の場合において、その幾何形状のみによって第１駆動体によって分配される小液滴サイズの液状流体を設立するのに適したノズルとして、排出開口部２５を構成することによって、第２気流を設ける必要がなくてもよい。
【符号の説明】
【００５７】
１  デバイス、１０  開眼瞼部分、１２  襟体、２５  排出開口部，開口部，ノズル、２６  回転可能ハンドル，ハンドル，動作部分、２７  固定タブ，タブ、３０  ロック・解放機構，押下可能タブ，タブ，動作部分、５４  ピストンヘッド，ヘッド、５５  変位可能ピストン，ピストン、５６  巻回軌道，表面軌道、５７  ロッド、５８  空気チャンバ、６０  構造体，ピストンシリンダ，シリンダ、６１  第１駆動体，バネ、７０  液体容器，容器，バレル，タンク、８２  第２駆動体，蠕動投与ポンプ，蠕動ポンプ，ポンプ、９１  通路、９２  内部液状流体チャンバ，液状流体チャンバ，流体チャンバ，内部液体チャンバ，液体チャンバ、９３  通路，排出開口部，開口部、９５  混合チャンバ、９７  第２通路，通路
【図１】
0006599364.tif 000002
【図２】
0006599364.tif 000003
【図３】
0006599364.tif 000004
【図４】
0006599364.tif 000005
【図５】
0006599364.tif 000006